(57)【要約】  【課題】省エネルギを損なうことなく利用者に販売許容状態であることを知らせ、コイン投入口の照明がコイン投入を誘導していることをアピールする効果を高めた自動販売機を提供することを目的とする。  【解決手段】サンプル表示板４を個別に照明するサンプル表示照明手段１２と商品取出口照明手段１４とを備えていることにより、利用者が前記サンプル表示板に対応する商品選択ボタンを操作すれば前記サンプル表示照明手段を点滅させると同時に前記金銭投入口照明手段を点滅させて金銭投入を誘導し、金銭が投入されれば前記商品取出口照明手段および釣銭照明手段を点滅させて排出された商品および釣銭を取出すように誘導することができる。【選択図】図２
2009295065.tif 000002
【特許請求の範囲】
【請求項１】
自動販売機の商品展示部に収納される商品のサンプルを表示する複数のサンプル表示板と、前記サンプル表示板を個別に照明するサンプル表示照明手段と、金銭を投入する金銭投入口を照明する金銭投入口照明手段と、釣銭取出口を照明する釣銭照明手段と、排出される商品を取出す商品取出口を照明する商品取出口照明手段とを備え、利用者が前記サンプル表示板に対応する商品選択ボタンを操作すれば前記サンプル表示照明手段を点滅させると同時に前記金銭投入口照明手段を点滅させて金銭投入を誘導し、金銭が投入されれば前記商品取出し口照明手段および釣銭照明手段を点滅させて排出された商品および釣銭を取出すように誘導することを特徴とする自動販売機。
【請求項２】
現在時刻を計数するタイマーを備え、金銭投入口に金銭を投入していない場合は、一定時間経過後にサンプル表示照明手段の点滅を解除して待機状態へ自動復帰させ、金銭投入されている場合は、利用者が次の動作を行うまで点滅動作の解除をしないことを特徴とする請求項１に記載の自動販売機。
【請求項３】
人感センサを備え、金銭投入口に金銭を投入していない場合でも、前記人感センサの検知領域外へ利用者が退出するまで自動復帰しないことを特徴とする請求項１に記載の自動販売機。
【請求項４】
各照明手段の点滅制御を停止する停止設定手段を備えたことを特徴とする請求項１に記載の自動販売機。
【発明の詳細な説明】
【技術分野】
【０００１】
本発明は、自動販売機の販売対応面を照明する照明装置を有する自動販売機に関するものである。
【背景技術】
【０００２】
近年、この種の自動販売機の照明装置は、省エネルギや環境へのマッチに対応して照明装置を消灯させながらも、硬貨投入口の周囲を表示ランプで光らせているものがある（例えば、特許文献１参照）。
【０００３】
以下、図面を参照しながら、従来の自動販売機について説明する。
【０００４】
図１０は、特許文献１に記載された従来の自動販売機の正面図である。
【０００５】
図１０に示すように、従来の自動販売機１１は、販売対応面１１ａと、前記販売対応面１１ａを照明する主照明部７１と、貨幣が投入される投入口４４と、前記投入口４４に対応する投入口照明部５２から構成されている。
【０００６】
以上のように構成された従来の自動販売機について、以下その動作を説明する。
【０００７】
自動販売機１１が販売許容状態で、販売対応面１１ａを照明する主照明部７１が消灯されているときに投入口４４に対応する投入口照明部５２を点灯させることにより、主照明部の消灯によって省エネルギを図りつつ、主照明部の消灯状態でも販売許容状態にあることを利用者に明示可能とする。
【特許文献１】特開２０００−１３７８６３号公報
【発明の開示】
【発明が解決しようとする課題】
【０００８】
しかしながら上記従来の特許文献１の構成では、販売対応面１１ａの投入口４４に対応する投入口照明部５２を点灯させることで販売許容状態であることを利用者に知らせようとしているが、販売対応面１１ａを照明する主照明部７１を消灯させるため、販売待機状態でコイン投入を誘導しているのか判別しにくいという課題を有していた。
【０００９】
本発明は上記従来の課題を解決するもので、販売対応面を照明する主照明を商品見本パネルごとに分割することで、主照明を消灯させないで部分的に点滅させることが可能になり、省エネルギを損なうことなく利用者に販売許容状態であることを知らせ、コイン投入口の照明がコイン投入を誘導していることをアピールする効果を高めた自動販売機を提供することを目的とする。
【課題を解決するための手段】
【００１０】
上記従来の課題を解決するために、本発明の自動販売機は、自動販売機の商品展示部に収納される商品のサンプルを表示する複数のサンプル表示板と、前記サンプル表示板を個別に照明するサンプル表示照明手段と、金銭を投入する金銭投入口を照明する金銭投入口照明手段と、釣銭取出口を照明する釣銭照明手段と、排出される商品を取出す商品取出口を照明する商品取出口照明手段とを備えていることを特徴としたものである。
【００１１】
これによって、利用者が前記サンプル表示板に対応する商品選択ボタンを操作すれば前記サンプル表示照明手段を点滅させると同時に前記金銭投入口照明手段を点滅させて金銭投入を誘導し、金銭が投入されれば前記商品取出口照明手段および釣銭照明手段を点滅させて排出された商品および釣銭を取出すように誘導することができる。
【発明の効果】
【００１２】
本発明の自動販売機は、顧客に次の動作を誘導し、販売動作をスムーズに行えるとともに、商品や釣銭の取り忘れを防止することができる。
【発明を実施するための最良の形態】
【００１３】
請求項１に記載の発明は、自動販売機の商品展示部に収納される商品のサンプルを表示する複数のサンプル表示板と、前記サンプル表示板を個別に照明するサンプル表示照明手段と、金銭を投入する金銭投入口を照明する金銭投入口照明手段と、釣銭取出し口を照明する釣銭照明手段と、排出される商品を取出す商品取出口照明手段とを備えていることにより、これによって、利用者が前記サンプル表示板に対応する商品選択ボタンを操作すれば前記サンプル表示照明手段を点滅させると同時に前記金銭投入口照明手段を点滅させて金銭投入を誘導し、金銭が投入されれば前記商品取出口照明手段および釣銭照明手段を点滅させて排出された商品および釣銭を取出すように誘導することができる。
【００１４】
請求項２に記載の発明は、請求項１に記載の発明にさらに、現在時刻を計数するタイマーを備えることにより、これによって、金銭投入口に金銭を投入していない場合は、一定時間経過後に選択された商品の照明手段の点滅を解除して待機状態へ自動復帰させ、金銭投入されている場合は、利用者が次の動作を行うまで点滅動作の解除をしないことができる。
【００１５】
請求項３に記載の発明は、請求項１に記載の発明にさらに、人感センサを備えたことにより、これによって、金銭投入口に金銭を投入していない場合でも、前記人感センサの検知領域外へ利用者が退出するまで自動復帰しないことができる。
【００１６】
請求項４に記載の発明は、請求項１に記載の発明にさらに、各照明手段の点滅制御を停止する停止設定手段を備えたことにより、これによって、ロケーションなどにより点滅動作が不要な場合、点滅制御を停止することができる。
【００１７】
以下、本発明の実施の形態について図面を参照しながら説明するが、この実施の形態によって本発明が限定されるものではない。
【００１８】
（実施の形態１）
図１は、本発明の実施の形態１における自動販売機の正面図である。図２は、本発明の実施の形態１における自動販売機の機能ブロック図である。図３は、同実施の形態の動作を示すフローチャートである。
【００１９】
図１において、自動販売機本体１の前面に外扉３が開閉自在に備えられ、この外扉３の前面が販売対応面２として構成されている。販売対応面２は、サンプル表示板４を展示した商品展示部５が構成されている。商品展示部５は、樹脂製の透明板で形成された矩形状の化粧パネル６が個々に独形成されて構成されている。図１の場合、複数個の化粧パネル６が群となって、外扉３の左右に分かれて構成されている。各々の化粧パネル６の下部には商品選択ボタン９が構成されている。図示しないがこの商品選択ボタン９には、販売可能ランプおよび売り切れランプが内蔵されている。
【００２０】
商品展示部５の下方には、金銭投入部７および釣銭取出口１０を有し、外扉３の下部には選択された商品を排出する商品取出口８が備えられている。
【００２１】
図２は制御系の機能ブロック図を示し、１１ａは制御部で、この制御部１１ａには、照明手段１２、釣銭照明手段１３、商品取出口照明手段１４、硬貨処理装置１５、紙幣処理装置１６、金銭投入口照明手段１７、商品選択ボタン９、照明手段１２が接続されている。
【００２２】
以上のように構成された自動販売機について、以下その制御部１１ａの動作、作用を図３のフローチャートをもとにして説明する。
【００２３】
まず、販売許容状態にあるかを判断し（ＳＴＥＰ１）、商品の全売り切れなど販売許容状態でなければ照明制御処理を終了する。販売許容状態であれば、サンプル表示板４ごとに照明手段１２を順番に点滅させたり、特定の箇所の照明手段１２を点滅させるなどのイルミネーション動作を、あらかじめ任意に設定された照明モードに従い照明手段１２を実行指令する（ＳＴＥＰ２）。また、商品選択ボタンが押されたかの商品購入動作の有無を判断し（ＳＴＥＰ３）、商品購入動作がないときは、あらかじめ任意に設定された照明モードを継続する。商品購入動作があったときには、照明手段１２を商品選択ボタンに対応された照明手段１２を点滅させ、それ以外の照明手段１２を消灯または照度を下げ、金銭投入口照明手段１７を点滅し（ＳＴＥＰ４）利用者が操作を誘導する。
【００２４】
さらに、コインが投入されなかった場合には点滅を継続し、コイン投入の有無を判断し（ＳＴＥＰ５）コインが投入された場合には商品を搬出し、商品取出口照明手段１４を点滅させる（ＳＴＥＰ６）、さらに、釣銭が発生の有無を判断し（ＳＴＥＰ７）、釣銭がない場合には販売処理を終了し、釣銭がある場合には釣銭を搬出し、釣銭照明手段１３を点滅させる。
【００２５】
以上のように本実施の形態においては、自動販売機の商品展示部に収納される商品のサンプルを表示する複数のサンプル表示板と、前記サンプル表示板を個別に照明するサンプル表示照明手段と、金銭を投入する金銭投入口を照明する金銭投入口照明手段と、釣銭取出し口を照明する釣銭照明手段と、排出される商品を取出す商品取出口照明手段とを備えていることにより、これによって、利用者が前記サンプル表示板に対応する商品選択ボタンを操作すれば前記サンプル表示照明手段を点滅させると同時に前記金銭投入口照明手段を点滅させて金銭投入を誘導し、銭が投入されれば前記商品取出口照明手段および釣銭照明手段を点滅させて排出された商品および釣銭を取出すように誘導することができる。
【００２６】
（実施の形態２）
図４は、本発明の実施の形態２における自動販売機の機能ブロック図である。図５は、同実施の形態の動作を示すフローチャートである。
【００２７】
図４において、タイマー１８は制御部１１ｂに接続し、現在時刻を計数するためのものである。
【００２８】
本実施の形態は、実施の形態１による自動販売機に、さらに、現在時刻を計数するタイマーを設けたものである。
【００２９】
以上のように構成された自動販売機について、以下その制御部１１ｂの動作、作用を図５のフローチャートをもとにして説明する。
【００３０】
まず、販売許容状態にあるかを判断し（ＳＴＥＰ１）、商品の全売り切れなど販売許容状態でなければ照明制御処理を終了する。販売許容状態であれば、サンプル表示板４ごとに照明手段１２を順番に点滅させたり、特定の箇所の照明手段１２を点滅させるなどのイルミネーション動作を、あらかじめ任意に設定された照明モードに従い照明手段１２を実行指令する（ＳＴＥＰ２）。
【００３１】
また、商品選択ボタンが押されたかの商品購入動作の有無を判断し（ＳＴＥＰ３）、商品購入動作がないときは、あらかじめ任意に設定された照明モードを継続する。商品購入動作があったときには、照明手段１２を商品選択ボタンに対応された照明手段１２を点滅させ、それ以外の照明手段１２を消灯または照度を下げ、金銭投入口照明手段１７を点滅し（ＳＴＥＰ４）利用者が操作を誘導する。
【００３２】
さらに、コインが投入されなかった場合には、一定時間が経過したかの判断をし（ＳＴＥＰ９）、一定時間経過後に選択された商品の照明手段の点滅を解除して待機状態へ自動復帰させ（ＳＴＥＰ１０）、一定時間が経過していなかった場合には点滅を継続し、コイン投入の有無を判断し（ＳＴＥＰ５）コインが投入された場合には商品を搬出し、商品取出口照明手段１４を点滅させる（ＳＴＥＰ６）、さらに、釣銭が発生の有無を判断し（ＳＴＥＰ７）、釣銭がない場合には販売処理を終了し、釣銭がある場合には釣銭を搬出し、釣銭照明手段１３を点滅させる。
【００３３】
以上のように本実施の形態においては、現在時刻を計数するタイマーを備えることにより、これによって、金銭投入口に金銭を投入していない場合は、一定時間経過後に選択された商品の照明手段の点滅を解除して待機状態へ自動復帰させ、金銭投入されている場合は、利用者が次の動作を行うまで点滅動作の解除をしないことができる。
【００３４】
（実施の形態３）
図６は、本発明の実施の形態３における自動販売機の機能ブロック図である。図７は、同実施の形態の動作を示すフローチャートである。
【００３５】
図６において、人感センサ１９は制御部１１ｃに接続し、自動販売機１の販売対応面２の前方ならびに前方付近に人が近づいたことを検知するためのもので、例えば、赤外線センサ、超音波センサ、光電スイッチ、光センサ、カメラなどで構成され、自動販売機１の販売対応面２の前方ならびに前方付近を検知領域とし、この検知領域に進入する人体を検知する。
【００３６】
本実施の形態は、実施の形態１による自動販売機に、さらに、自動販売機１１の周囲に人が近づいたことを検知するための人感センサ１９を設けたものである。
【００３７】
以上のように構成された自動販売機について、以下その制御部１１ｃの動作、作用を図６のフローチャートをもとにして説明する。
【００３８】
まず、販売許容状態にあるかを判断し（ＳＴＥＰ１）、商品の全売り切れなど販売許容状態でなければ照明制御処理を終了する。販売許容状態であれば、サンプル表示板４ごとに照明手段１２を順番に点滅させたり、特定の箇所の照明手段１２を点滅させたりするなどのイルミネーション動作を、あらかじめ任意に設定された照明モードに従い照明手段１２を実行指令する（ＳＴＥＰ２）。
【００３９】
また、商品選択ボタンが押されたかの商品購入動作の有無を判断し（ＳＴＥＰ３）、商品購入動作がないときは、あらかじめ任意に設定された照明モードを継続する。商品購入動作があったときには、照明手段１２を商品選択ボタンに対応された照明手段１２を点滅させ、それ以外の照明手段１２を消灯または照度を下げ、金銭投入口照明手段１７を点滅し（ＳＴＥＰ４）利用者が操作を誘導する。さらに、コインが投入されなかった場合には、人感センサの検知の有無を判断し（ＳＴＥＰ１１）、人感センサの検知領域外に利用者が退出した場合には選択された商品の照明手段の点滅を解除して待機状態へ自動復帰させ（ＳＴＥＰ１２）、人感センサの検知領域内に利用者がいる場合には点滅を継続し、コイン投入の有無を判断し（ＳＴＥＰ５）コインが投入された場合には商品を搬出し、商品取出口照明手段１４を点滅させる（ＳＴＥＰ６）、さらに、釣銭が発生の有無を判断し（ＳＴＥＰ７）、釣銭がない場合には販売処理を終了し、釣銭がある場合には釣銭を搬出し、釣銭照明手段１３を点滅させる。
【００４０】
以上のように本実施の形態の形態においては、請求項１に記載の発明にさらに、人感センサを備えたことにより、これによって、金銭投入口に金銭を投入していない場合でも、前記人感センサの検知領域外へ利用者が退出するまで自動復帰しないことができる。
【００４１】
（実施の形態４）
図８は、本発明の実施の形態４における自動販売機の機能ブロック図である。図９は、同実施の形態の動作を示すフローチャートである。
【００４２】
図８において、停止設定手段２０は制御部１１ｄに接続し、各照明手段の点滅制御を停止するためのものである。
【００４３】
本実施の形態は、実施の形態１による自動販売機に、さらに、各照明手段の点滅制御を停止する停止設定手段２０を設けたものである。
【００４４】
以上のように構成された自動販売機について、以下その制御部１１ｄの動作、作用を９のフローチャートをもとにして説明する。
【００４５】
まず、販売許容状態にあるかを判断し（ＳＴＥＰ１）、商品の全売り切れなど販売許容状態でなければ照明制御処理を終了する。販売許容状態であれば、サンプル表示板４ごとに照明手段１２を順番に点滅させたり、特定の箇所の照明手段１２を点滅させたりするなどのイルミネーション動作を、あらかじめ任意に設定された照明モードに従い照明手段１２を実行指令する（ＳＴＥＰ２）。
【００４６】
また、商品選択ボタンが押されたかの商品購入動作の有無を判断し（ＳＴＥＰ３）、商品購入動作がないときは、あらかじめ任意に設定された照明モードを継続する。商品購入動作があったときには、停止設定手段２０により点滅制御の停止の設定の有無を確認し（ＳＴＥＰ１３）、停止設定手段２０により点滅制御が停止されていなかった場合には、照明手段１２を商品選択ボタンに対応された照明手段１２を点滅させ、それ以外の照明手段１２を消灯または照度を下げ、金銭投入口照明手段１７を点滅し（ＳＴＥＰ４）利用者が操作を誘導し、停止設定手段２０により点滅制御が停止されていた場合には選択された照明を点灯する（ＳＴＥＰ１４）。
【００４７】
さらに、コインが投入されなかった場合には前状態を継続し、コイン投入の有無を判断し（ＳＴＥＰ５）コインが投入された場合には商品を搬出し、停止設定手段２０により点滅制御の停止の設定の有無を確認し（ＳＴＥＰ１５）、停止設定手段２０により点滅制御が停止されていなかった場合には、商品取出口照明手段１４を点滅し（ＳＴＥＰ６）、停止設定手段２０により点滅制御が停止されていた場合にはＳＴＥＰ７に進む。さらに、釣銭が発生の有無を判断し（ＳＴＥＰ７）、釣銭がない場合には販売処理を終了し、釣銭がある場合には釣銭を搬出し、停止設定手段２０により点滅制御の停止の設定の有無を確認し（ＳＴＥＰ１６）、停止設定手段２０により点滅制御が停止されていなかった場合には、釣銭照明手段１３を点滅し、停止設定手段２０により点滅制御が停止されていなかった場合には販売処理を終了する。
【００４８】
以上のように本実施の形態においては、請求項１に記載の発明にさらに、各照明手段の点滅制御を停止する停止設定手段を備えたことにより、これによって、ロケーションなどにより点滅動作が不要な場合、点滅制御を停止することができる。
【産業上の利用可能性】
【００４９】
以上のように、本発明にかかる自動販売機は、顧客に次の動作を誘導し、販売動作をスムーズに行えるとともに、商品や釣銭の取り忘れを防止することができるので、周囲が暗くなる屋外に設置されたあらゆる自動販売機に適用できる。
【図面の簡単な説明】
【００５０】
【図１】本発明の実施の形態１における自動販売機の正面図
【図２】同実施の形態における自動販売機の機能ブロック図
【図３】同実施の形態の自動販売機の動作を示すフローチャート
【図４】本発明の実施の形態２における自動販売機の機能ブロック図
【図５】同実施の形態の自動販売機の動作を示すフローチャート
【図６】本発明の実施の形態３における自動販売機の機能ブロック図
【図７】同実施の形態の自動販売機の動作を示すフローチャート
【図８】本発明の実施の形態４における自動販売機の機能ブロック図
【図９】同実施の形態の自動販売機の動作を示すフローチャート
【図１０】従来の自動販売機の正面図
【符号の説明】
【００５１】
１  自動販売機本体
２  販売対応面
３  外扉
４  サンプル表示板
５  商品展示部
６  化粧パネル
７  金銭投入口
８  商品取出口
９  商品選択ボタン
１０  釣銭取出口
１１ａ，１１ｂ，１１ｃ，１１ｄ  制御部
１２  照明手段
１３  釣銭照明手段
１４  商品取出口照明手段
１５  硬貨処理装置
１６  紙幣処理装置
１７  金銭投入口照明手段
１８  タイマー
１９  人感センサ
２０  停止設定手段
【図１】
2009295065.tif 000003
【図２】
2009295065.tif 000004
【図３】
2009295065.tif 000005
【図４】
2009295065.tif 000006
【図６】
2009295065.tif 000007
【図７】
2009295065.tif 000008
【図８】
2009295065.tif 000009
【図５】
2009295065.tif 000010
【図９】
2009295065.tif 000011
【図１０】
2009295065.tif 000012